(57)【要約】【課題】内燃機関の排気浄化装置において、フィルタ再生制御手段の実行前にＮＯｘ還元制御手段を実行する際に、ＮＯｘ触媒が低温状態にあるときに吸蔵されたＮＯｘが還元を伴わずに放出されてしまうことを抑制する技術を提供する。【解決手段】フィルタ再生制御（Ｓ１０８）の実行前にＮＯｘ還元制御（Ｓ１０７）を実行する際に、排気温度センサによって検出されたフィルタの温度が第１所定値より低い場合に、ＮＯｘ還元制御の実行前に排気中に燃料を添加してフィルタを昇温させるフィルタ昇温制御（Ｓ１０５）を実行する。【選択図】図４
2008115712.tif 000002
【特許請求の範囲】
【請求項１】
排気通路に配置されたＮＯｘ触媒及びフィルタと、
排気に燃料を供給して排気の空燃比を低下させ前記ＮＯｘ触媒に吸蔵されたＮＯｘを放出及び還元するＮＯｘ還元制御手段と、
排気に燃料を供給して前記フィルタを昇温させ前記フィルタからＰＭを除去するフィルタ再生制御手段と、
を備え、
前記フィルタ再生制御手段を実行する際に、前記フィルタ再生制御手段の実行前に前記ＮＯｘ還元制御手段を実行する内燃機関の排気浄化装置において、
前記フィルタの温度を検出するフィルタ温度検出手段と、
前記フィルタ再生制御手段の実行前に前記ＮＯｘ還元制御手段を実行する際に、前記フィルタ温度検出手段によって検出された前記フィルタの温度が所定温度より低い場合に、前記ＮＯｘ還元制御手段の実行前に排気中に燃料を添加して前記フィルタを昇温させる昇温制御手段と、
を備えたことを特徴とする内燃機関の排気浄化装置。
【請求項２】
前記昇温制御手段による前記フィルタの昇温速度は、低温状態の前記ＮＯｘ触媒に亜硝酸塩として吸蔵されたＮＯｘを、前記ＮＯｘ触媒から放出させずに硝酸塩にさせる速度であることを特徴とする請求項１に記載の内燃機関の排気浄化装置。
【請求項３】
前記昇温制御手段による前記フィルタの昇温速度は、記ＮＯｘ還元制御手段による前記フィルタの昇温速度よりも遅いことを特徴とする請求項２に記載の内燃機関の排気浄化装置。
【請求項４】
前記昇温制御手段は、前記フィルタの劣化状態が進む程、前記昇温制御手段の実行時間を短縮させることを特徴とする請求項１〜３のいずれか１項に記載の内燃機関の排気浄化装置。
【発明の詳細な説明】
【技術分野】
【０００１】
本発明は、内燃機関の排気浄化装置に関する。
【背景技術】
【０００２】
内燃機関の排気通路に配置された吸蔵還元型ＮＯｘ触媒（以下、ＮＯｘ触媒という）を担持したパティキュレートフィルタ（以下、フィルタという）に対して、いわゆるフィルタ再生制御が行われる。
【０００３】
フィルタ再生制御は、フィルタに捕集された煤などの微粒子物質（以下、ＰＭという）の量が増大して、フィルタを通過する排気の流路抵抗が増大し、内燃機関の排気抵抗が上昇して機関出力の低下や燃費の悪化を生じることを防止するために行われる。具体的には、排気に燃料を供給してＰＭが着火燃焼する温度までフィルタを昇温し、フィルタに捕集されたＰＭを燃焼させてフィルタを再生する。
【０００４】
そして、フィルタ再生制御を実行する際に、フィルタ再生制御の前にＮＯｘ還元制御を行う技術が開示されている（例えば、特許文献１参照）。
【特許文献１】特許第２７２２９８７号公報
【発明の開示】
【発明が解決しようとする課題】
【０００５】
ところで、フィルタに担持されたＮＯｘ触媒は低温状態でもＮＯｘを吸蔵する。このようなＮＯｘ触媒が低温状態にあるときに吸蔵されたＮＯｘは、上記特許文献１の技術のようにＮＯｘ還元制御の際にＮＯｘ触媒を担持するフィルタが低温状態から昇温されると、還元を伴わずに放出されてしまう。
【０００６】
本発明の目的は、内燃機関の排気浄化装置において、フィルタ再生制御手段の実行前にＮＯｘ還元制御手段を実行する際に、ＮＯｘ触媒が低温状態にあるときに吸蔵されたＮＯｘが還元を伴わずに放出されてしまうことを抑制する技術を提供することにある。
【課題を解決するための手段】
【０００７】
本発明にあっては、以下の構成を採用する。すなわち、
排気通路に配置されたＮＯｘ触媒及びフィルタと、
排気に燃料を供給して排気の空燃比を低下させ前記ＮＯｘ触媒に吸蔵されたＮＯｘを放出及び還元するＮＯｘ還元制御手段と、
排気に燃料を供給して前記フィルタを昇温させ前記フィルタからＰＭを除去するフィルタ再生制御手段と、
を備え、
前記フィルタ再生制御手段を実行する際に、前記フィルタ再生制御手段の実行前に前記ＮＯｘ還元制御手段を実行する内燃機関の排気浄化装置において、
前記フィルタの温度を検出するフィルタ温度検出手段と、
前記フィルタ再生制御手段の実行前に前記ＮＯｘ還元制御手段を実行する際に、前記フィルタ温度検出手段によって検出された前記フィルタの温度が所定温度より低い場合に、前記ＮＯｘ還元制御手段の実行前に排気中に燃料を添加して前記フィルタを昇温させる昇温制御手段と、
を備えたことを特徴とする内燃機関の排気浄化装置である。
【０００８】
従来から、フィルタ再生制御手段を実行する際に、フィルタ再生制御手段の実行の前に
ＮＯｘ還元制御手段を実行する。
【０００９】
ところで、フィルタに担持されたＮＯｘ触媒は例えば２００℃程の低温状態でもＮＯｘを吸蔵する。このようなＮＯｘ触媒が低温状態にあるときに吸蔵されたＮＯｘは、亜硝酸塩となって弱い吸着力でＮＯｘ触媒に吸蔵されている。このため、ＮＯｘ還元制御手段を実行する際にＮＯｘ触媒を担持するフィルタが低温状態から昇温されると、還元を伴わずに放出されてしまう。
【００１０】
そこで、本発明では、フィルタ再生制御手段の実行前にＮＯｘ還元制御手段を実行する際に、フィルタの温度が所定温度より低い場合に、ＮＯｘ還元制御手段の実行前に排気中に燃料を添加してフィルタを昇温させる昇温制御手段を実行することとした。
【００１１】
ここで、所定温度とは、フィルタがそれ以下の温度であると、フィルタに担持されたＮＯｘ触媒が低温状態のために、ＮＯｘを亜硝酸塩として吸蔵する閾値の温度である。
【００１２】
この構成によると、昇温制御手段を実行することにより、ＮＯｘ触媒が低温状態にあるときに吸蔵されたＮＯｘは、弱い吸着力の亜硝酸塩から強い吸着力の硝酸塩へ変化する。このため、昇温制御手段の実行後には、ＮＯｘ触媒に吸蔵されたＮＯｘは強い吸着力の硝酸塩のため、ＮＯｘ還元制御手段を実行する際にＮＯｘ触媒を担持するフィルタが昇温されても、ＮＯｘは還元を伴わずに放出されない。そして、実際のＮＯｘ還元制御手段を実行することによって、ＮＯｘ触媒に吸蔵された強い吸着力の硝酸塩となったＮＯｘが放出及び還元される。
【００１３】
したがって、フィルタ再生制御手段を実行する際に、ＮＯｘ触媒が低温状態にあるときに吸蔵されたＮＯｘが還元されずにＮＯｘ触媒から放出されてしまうことを抑制できる。
【００１４】
前記昇温制御手段による前記フィルタの昇温速度は、低温状態の前記ＮＯｘ触媒に亜硝酸塩として吸蔵されたＮＯｘを、前記ＮＯｘ触媒から放出させずに硝酸塩にさせる速度であるとよい。
【００１５】
この構成によると、ＮＯｘ触媒が低温状態にあるときに吸蔵されたＮＯｘは、ＮＯｘ触媒から放出させずに弱い吸着力の亜硝酸塩から強い吸着力の硝酸塩へ変化できる。
【００１６】
前記昇温制御手段による前記フィルタの昇温速度は、前記ＮＯｘ還元制御手段による前記フィルタの昇温速度よりも遅いとよい。
【００１７】
この構成によると、低温状態のＮＯｘ触媒に亜硝酸塩として吸蔵されたＮＯｘを、ＮＯｘ触媒から放出させずに硝酸塩にさせることができる。
【００１８】
前記昇温制御手段は、前記フィルタの劣化状態が進む程、前記昇温制御手段の実行時間を短縮させるとよい。
【００１９】
フィルタの劣化状態が進むと、ＮＯｘ触媒が低温状態で吸蔵できるＮＯｘ量が低減していく。この構成によると、フィルタの劣化状態が進み、ＮＯｘ触媒に吸蔵されたＮＯｘ量が低減すると、昇温制御手段の実行時間を短縮させて、ＮＯｘ触媒に吸蔵されたＮＯｘが弱い吸着力の亜硝酸塩から強い吸着力の硝酸塩へ変化する時間を短縮できる。このため、昇温制御手段からＮＯｘ還元制御手段を経てフィルタ再生制御手段を実行するトータルの実行時間を短縮できる。
【発明の効果】
【００２０】
本発明によると、内燃機関の排気浄化装置において、フィルタ再生制御手段の実行前にＮＯｘ還元制御手段を実行する際に、ＮＯｘ触媒が低温状態にあるときに吸蔵されたＮＯｘが還元を伴わずに放出されてしまうことを抑制できる。
【発明を実施するための最良の形態】
【００２１】
以下に本発明の具体的な実施例を説明する。
【００２２】
＜実施例１＞
図１は、本実施例に係る内燃機関の排気浄化装置を適用する内燃機関とその排気系の概略構成を示す図である。
【００２３】
図１に示す内燃機関１は、４つの気筒を有する水冷式の４サイクル・ディーゼル機関であり、各気筒の燃焼室に直接燃料を噴射する燃料噴射弁を備えている。
【００２４】
内燃機関１からは排気通路２が延びている。排気通路２の途中には、内燃機関１の気筒から排出される排気を浄化するために、吸蔵還元型のＮＯｘ触媒を担持したフィルタ３が配置されている。
【００２５】
ここで、ＮＯｘ触媒は、ＮＯｘ触媒に流入する排気の空燃比がリーン（理論空燃比以上）であるときには、排気中のＮＯｘを吸蔵して大気中に放出しないようにし、ＮＯｘ触媒に流入する排気の空燃比が理論空燃比あるいはリッチであるときには、吸蔵されていたＮＯｘを放出する。そして、排気の空燃比が理論空燃比あるいはリッチである際に、排気中に炭化水素（ＨＣ）や一酸化炭素（ＣＯ）等の還元成分が存在していれば、ＮＯｘ触媒から放出された窒素酸化物（ＮＯｘ）をＮ２に還元して除去するものである。なお、ＮＯｘ触媒は、本実施例のようにフィルタ３に担持されているものの他、フィルタ３の上流側などに直列に配設されるものであってもよい。
【００２６】
また、フィルタ３は、ウォールフロー型でモノリス構造に形成された壁部を有し、この壁部の微小孔を排気が通過する際にＰＭを捕捉することにより、排気からＰＭを除去するものである。
【００２７】
このフィルタ３の直下流側の排気通路２には、排気通路２を流通する排気の温度を検出する排気温度センサ４が配置され、排気温度センサ４の出力信号に基づいてフィルタ３の温度が検出される。なお、排気温度センサ４が、本発明のフィルタ温度検出手段に相当する。
【００２８】
一方、フィルタ３より上流側の排気通路２には、排気通路２内を流通する排気中に還元剤たる燃料を供給する燃料添加ノズル５が取り付けられている。
【００２９】
以上の構成の内燃機関１には、内燃機関１を制御するための電子制御ユニットであるＥＣＵ６が併設されている。このＥＣＵ６は、内燃機関１の運転条件や運転者の要求に応じて内燃機関１の運転状態を制御するユニットである。ＥＣＵ６には、燃料添加ノズル５が電気的に接続されており、ＥＣＵ６が燃料添加ノズル５の燃料供給や燃料供給停止を制御可能になっている。また、ＥＣＵ６には、排気温度センサ４が電気的に接続されており、ＥＣＵ６に排気温度センサ４の検出値が出力される。
【００３０】
そして、ＥＣＵ６は、フィルタ３に対して、排気を浄化する通常運転制御、フィルタ再生制御、Ｓ被毒回復制御、ＮＯｘ還元制御といった４種類の制御を行う。
【００３１】
ここで、フィルタ再生制御は、燃料添加ノズル５から燃料を継続して繰り返して添加し
、フィルタ３を例えば６００〜７００℃に昇温させ、フィルタ３に堆積しているＰＭを燃焼させて排出し、フィルタ３からＰＭを除去する制御である。ここで、このフィルタ再生制御が本発明のフィルタ再生制御手段に相当する。
【００３２】
Ｓ被毒回復制御は、燃料添加ノズル５から燃料を継続して繰り返して添加し、フィルタ３を例えば６００〜７００℃に昇温させると共に排気の空燃比を理論空燃比あるいはリッチとし、フィルタ３に担持されたＮＯｘ触媒からＳＯｘを放出させる制御である。
【００３３】
ＮＯｘ還元制御は、燃料添加ノズル５から燃料を比較的時間を空けて間欠的に添加し、排気の空燃比を理論空燃比あるいはリッチとし、フィルタ３に担持されたＮＯｘ触媒からＮＯｘを放出及び還元させる制御である。なお、ＮＯｘ還元制御は、比較的短時間のうちに繰り返し実行される制御である。ここで、このＮＯｘ還元制御が本発明のＮＯｘ還元制御手段に相当する。
【００３４】
ここで、フィルタ再生制御を実行する場合には、図２に示すように、フィルタの温度を上昇させると、ＮＯｘ触媒の触媒床温も上昇し、その際にＮＯｘ触媒からＮＯｘが還元を伴わずに放出されてしまう。このため、フィルタ再生制御を実行する際に、先にＮＯｘ触媒のＮＯｘを放出及び還元させてしまうために、フィルタ再生制御の実行の前にＮＯｘ還元制御を実行することが行われている。
【００３５】
ところで、図３に示すように、フィルタ３に担持されたＮＯｘ触媒は例えば２００℃程の低温状態でもＮＯｘを吸蔵できる（図示○部）。このようなＮＯｘ触媒が低温状態にあるときに吸蔵されたＮＯｘは、亜硝酸塩となって弱い吸着力でＮＯｘ触媒に吸蔵されている。このため、ＮＯｘ還元制御を実行する際にＮＯｘ触媒を担持するフィルタが低温状態から昇温されると、還元を伴わずに放出されてしまう。
【００３６】
そこで、本実施例では、フィルタ再生制御の実行前にＮＯｘ還元制御を実行する際に、フィルタ３の温度が第１所定値より低い場合に、ＮＯｘ還元制御手段の実行前に排気中に燃料を添加してフィルタ３を徐々に昇温させるフィルタ昇温制御を実行することとした。
【００３７】
ここで、第１所定値とは、フィルタ３がそれ以下の温度であると、フィルタ３に担持されたＮＯｘ触媒が低温状態のために、ＮＯｘを吸着力の弱い亜硝酸塩として吸蔵する閾値の温度である。
【００３８】
このようにすると、フィルタ昇温制御を実行することにより、ＮＯｘ触媒が低温状態にあるときに吸蔵されたＮＯｘは、弱い吸着力の亜硝酸塩から強い吸着力の硝酸塩へ変化する。このため、フィルタ昇温制御の実行後には、ＮＯｘ触媒に吸蔵されたＮＯｘは強い吸着力の硝酸塩のため、ＮＯｘ還元制御を実行する際にＮＯｘ触媒を担持するフィルタ３が昇温されても、ＮＯｘは還元を伴わずに放出されない。そして、実際のＮＯｘ還元制御を実行することによって、ＮＯｘ触媒に吸蔵された強い吸着力の硝酸塩となったＮＯｘが放出及び還元される。
【００３９】
したがって、フィルタ再生制御を実行する際に、ＮＯｘ触媒が低温状態にあるときに吸蔵されたＮＯｘが還元されずにＮＯｘ触媒から放出されてしまうことを抑制できる。
【００４０】
ここで、フィルタ昇温制御によるフィルタ３の昇温速度は、低温状態のＮＯｘ触媒に亜硝酸塩として吸蔵されたＮＯｘを、ＮＯｘ触媒から放出させずに硝酸塩にさせる速度である。このため、フィルタ昇温制御によるフィルタ３の昇温速度は、ＮＯｘ還元制御によるフィルタ３の昇温速度よりも遅くなる。
【００４１】
これにより、ＮＯｘ触媒が低温状態にあるときに吸蔵されたＮＯｘは、ＮＯｘ触媒から放出させずに弱い吸着力の亜硝酸塩から強い吸着力の硝酸塩へ変化できる。
【００４２】
ここで、本実施例のフィルタ再生制御を行う制御ルーチンについて、図４に示すフローチャートに基づいて説明する。なお、本ルーチンは、ＥＣＵ６に予め記憶されており、周期的に実行されるルーチンである。
【００４３】
ステップＳ１０１では、まず、ＥＣＵ６は、車両の走行履歴や内燃機関１の運転履歴などを参照して、フィルタ再生処理の実施が求められている状況にあるか否かを判断する。具体的には、車両の走行距離、フィルタ３に流入した排気流量などを参照してＰＭ堆積量を推定し、ＰＭ堆積量がフィルタ再生処理を開始すべき閾値に達している場合に、フィルタ再生処理の実施が求められている状況であると判断する。
【００４４】
ステップＳ１０１で肯定判定がなされた場合には、ステップＳ１０２へ進み、一方、否定判定がなされた場合には、本ルーチンを一旦終了する。
【００４５】
続いて、ステップＳ１０２では、ＥＣＵ６は、フィルタ再生処理を開始すべくフィルタ再生処理開始用のフラグを成立させる。これにより、フィルタ再生処理に関する制御を開始する。
【００４６】
ステップＳ１０３では、ＥＣＵ６は、排気温度センサ４の検出値に基づきフィルタ３の温度を検出する。
【００４７】
ステップＳ１０４では、ＥＣＵ６は、フィルタ３の温度が第１所定値よりも低いか否かを判断する。第１所定値は、例えば３００℃などであり、フィルタ３がそれ以下の温度であると、フィルタ３に担持されたＮＯｘ触媒が低温状態のために、ＮＯｘを吸着力の弱い亜硝酸塩として吸蔵する閾値の温度である。
【００４８】
ステップＳ１０４で肯定判定がなされた場合には、ステップＳ１０５へ進み、一方、否定判定がなされた場合には、ステップＳ１０７へ進む。
【００４９】
続いて、ステップＳ１０５では、ＥＣＵ６は、フィルタ昇温制御を実行する。具体的には、燃料添加ノズル５から燃料を繰り返して添加し、フィルタ３を徐々に昇温させる。ここで、フィルタ昇温制御によるフィルタ３の昇温速度は、低温状態のＮＯｘ触媒に亜硝酸塩として吸蔵されたＮＯｘを、ＮＯｘ触媒から放出させずに硝酸塩にさせる速度である。このため、フィルタ昇温制御によるフィルタ３の昇温速度は、ＮＯｘ還元制御によるフィルタ３の昇温速度よりも遅くなる。なお、本ステップのフィルタ昇温制御が本発明の昇温制御手段に相当する。
【００５０】
ステップＳ１０６では、ＥＣＵ６は、フィルタ３の温度が第２所定値よりも高いか否かを判断する。第２所定値は、例えば４５０℃などであり、フィルタ３がそれ以上の温度になると、ＮＯｘ触媒に吸蔵されたＮＯｘが吸着力の弱い亜硝酸塩から吸着力の強い硝酸塩に変化したと判断できる閾値の温度である。
【００５１】
ステップＳ１０６で肯定判定がなされた場合には、ステップＳ１０７へ進み、一方、否定判定がなされた場合には、ステップＳ１０５へ戻る。
【００５２】
続いて、ステップＳ１０７では、ＥＣＵ６では、ＮＯｘ還元制御を実行する。具体的には、燃料添加ノズル５から燃料を比較的時間を空けて間欠的に添加し、排気の空燃比を理論空燃比あるいはリッチとし、フィルタ３に担持されたＮＯｘ触媒からＮＯｘを放出及び
還元させる。
【００５３】
ステップＳ１０８では、ＥＣＵ６では、フィルタ再生制御を実行する。具体的には、燃料添加ノズル５から燃料を継続して繰り返して添加し、フィルタ３を例えば６００〜７００℃に昇温させ、フィルタ３に堆積しているＰＭを燃焼させて排出し、フィルタ３からＰＭを除去する。
【００５４】
そして、本ステップの終了後、本ルーチンの処理を一旦終了する。
【００５５】
以上のように本ルーチンを実施することで、フィルタ再生制御の実行前にＮＯｘ還元制御を実行する際に、ＮＯｘ還元制御の実行前にフィルタ昇温制御を実行し、ＮＯｘ触媒が低温状態にあるときに吸蔵されたＮＯｘが還元を伴わずに放出されてしまうことを抑制できる。
【００５６】
＜実施例２＞
次に実施例２を説明する。本実施例は、フィルタ昇温制御の実行時間をフィルタ３の劣化状態に応じて短縮するものである。その他の構成は上記実施例と同様であるので、説明を省略する。
【００５７】
本実施例では、フィルタ昇温制御において、フィルタ３の劣化状態が進む程、フィルタ昇温制御の実行時間を短縮させる。
【００５８】
フィルタ３の劣化状態が進むと、ＮＯｘ触媒が低温状態で吸蔵できるＮＯｘ量が低減していく。この構成によると、フィルタ３の劣化状態が進み、ＮＯｘ触媒に吸蔵されたＮＯｘ量が低減すると、フィルタ昇温制御の実行時間を短縮させて、ＮＯｘ触媒に吸蔵されたＮＯｘが弱い吸着力の亜硝酸塩から強い吸着力の硝酸塩へ変化する時間を短縮できる。このため、フィルタ昇温制御からＮＯｘ還元制御を経てフィルタ再生制御を実行するトータルの実行時間を短縮できる。
【００５９】
ここで、本実施例のフィルタ再生制御を行う制御ルーチンについて、図５に示すフローチャートに基づいて説明する。なお、本ルーチンは、ＥＣＵ６に予め記憶されており、周期的に実行されるルーチンである。
【００６０】
ステップＳ２０１〜Ｓ２０４までは、上記実施例のステップＳ１０１〜Ｓ１０４と同様である。
【００６１】
ステップＳ２０５では、ＥＣＵ６は、フィルタ３の劣化状態を判定する。具体的には、フィルタ３の温度が６００℃以上となる熱履歴をＥＣＵ６内で累積カウントしていくことで判定する。
【００６２】
次に、ステップＳ２０６では、ＥＣＵ６は、フィルタ昇温制御の実行時間を決定する。具体的には、ステップＳ２０５で判定した劣化状態に応じた係数、すなわち、フィルタ３が初期状態では１であったものが、劣化する程１以下となる係数を、フィルタ昇温制御の基本時間に乗算することで算出される。このため、フィルタ３の劣化状態が進む程、フィルタ昇温制御の実行時間が短縮される。
【００６３】
ステップＳ２０７では、ＥＣＵ６は、フィルタ昇温制御を実行する。フィルタ昇温制御は、上記実施例のステップＳ１０５と同様である。
【００６４】
ステップＳ２０８では、ＥＣＵ６は、フィルタ昇温制御の実行時間が決定時間となった
か否かを判断する。決定時間は、ステップＳ２０６で決定した実行時間であり、この時間を経過することで、ＮＯｘ触媒に吸蔵されたＮＯｘが吸着力の弱い亜硝酸塩から吸着力の強い硝酸塩に変化したと判断する。
【００６５】
ステップＳ２０８で肯定判定がなされた場合には、ステップＳ２０９へ進み、一方、否定判定がなされた場合には、ステップＳ２０７へ戻る。
【００６６】
続いて、ステップＳ２０９では、ＥＣＵ６では、ＮＯｘ還元制御を実行する。ＮＯｘ還元制御は、上記実施例のステップＳ１０７と同様である。
【００６７】
ステップＳ２１０では、ＥＣＵ６では、フィルタ再生制御を実行する。フィルタ再生制御は、上記実施例のステップＳ１０８と同様である。
【００６８】
そして、本ステップの終了後、本ルーチンの処理を一旦終了する。
【００６９】
以上のように本ルーチンを実施することで、フィルタ再生制御の実行前にＮＯｘ還元制御を実行する際に、ＮＯｘ還元制御の実行前にフィルタ昇温制御を実行し、ＮＯｘ触媒が低温状態にあるときに吸蔵されたＮＯｘが還元を伴わずに放出されてしまうことを抑制できる。
【００７０】
なお、上記実施例１，２では、フィルタ昇温制御を、フィルタ３の温度が第２所定値まで上昇する場合、及び決定時間経過する場合に至るまで、実行するようにしていたが、これらを複合条件として実行してもよく、またその他の条件を加えてもよい。
【００７１】
本発明に係る内燃機関の排気浄化装置は、上述の実施例に限定されるものではなく、本発明の要旨を逸脱しない範囲内において種々の変更を加えてもよい。
【図面の簡単な説明】
【００７２】
【図１】実施例１に係る内燃機関とその排気系を示す図である。
【図２】実施例１に係るフィルタ再生制御を実行した場合のＮＯｘ放出量を示す図である。
【図３】実施例１に係るＮＯｘ触媒の触媒床温とＮＯｘ吸蔵量との関係を示す図である。
【図４】実施例１に係るフィルタ再生制御を行う制御ルーチンを示すフローチャートである。
【図５】実施例２に係るフィルタ再生制御を行う制御ルーチンを示すフローチャートである。
【符号の説明】
【００７３】
１     内燃機関
２     排気通路
３     フィルタ
４     排気温度センサ
５     燃料添加ノズル
６     ＥＣＵ
【図１】
2008115712.tif 000003
【図２】
2008115712.tif 000004
【図３】
2008115712.tif 000005
【図４】
2008115712.tif 000006
【図５】
2008115712.tif 000007